(57)【要約】【課題】  大雨や洪水等の非常時には建物の出入口等の通路に迅速に組み立てることができ、建物内への優れた浸水阻止機能を発揮する浸水防止装置を提供するにある。【解決手段】  建物内への浸水防止装置は、建物の通路の両側壁面に設けられた断面コ字状の縦溝1aを有する支柱材１、１と、両側端部を支柱材１、１の縦溝1aの内面に固定手段３によって圧着されて建物の通路を閉鎖する止水シート２と、通路の床面上に設置されて止水シート２下端面を水密状態に受止する敷居部材４と、上記支柱材１、１の縦溝1a、1aの下部間に架設されて、止水シート２の下部における浸水下流側に向けた面を受止したシート湾曲防止用桁部材６と、止水シート２の下端面を上記敷居部材４に圧着させる圧着手段５とを備えてなる。【選択図】  図１
2018150794.tif 000002
【特許請求の範囲】
【請求項１】
巻回可能な止水シートと、
床面又は壁面に固定されたシート湾曲防止用桁部材とを、
備える止水部材。
【請求項２】
止水シートが、複数の補強用縦リブ構造を有する請求項１に記載の止水部材。
【請求項３】
止水シートが、炭素繊維と熱可塑性樹脂を含む請求項１又は２に記載の止水部材。
【請求項４】
熱可塑性樹脂がポリオレフィン系樹脂である請求項３に記載の止水部材。
【請求項５】
止水シートと、シート湾曲防止用桁部材との間に、弾性ベルト体からなる固定具を備え
る請求項１〜４に記載の止水部材。
【請求項６】
止水シートと床面の間に、弾性体からなる敷居部材を備える請求項１〜６の何れか１項
に記載の止水部材。
【請求項７】
建物の通路の両側壁面にそれぞれ立設、固定され、対向面に縦溝を設けている支柱材と
、両側端部を全長に亘ってこれらの支柱材の上記縦溝内面に密着させて建物の通路を閉鎖
する止水シートと、この止水シートの両側端部を支柱材の上記縦溝内面に密着させるシー
ト固定手段と、支柱材の下端間の通路の床面上に敷設されて止水シートの下端面を密着さ
せる敷居部材と、上記支柱材の縦溝の下部間に架設状態に取り付けられて止水シートの下
部における浸水下流側に向けた面を全長に亘って受止したシート湾曲防止用桁部材と、止
水シートの下端面を上記敷居部材に圧着させる圧着手段とを備えてなることを特徴とする
建物内への浸水防止装置。
【請求項８】
止水シートの両側端部には支柱材の縦溝内面に全長に亘って密着させる帯板状の側板が
取付けられてあり、この側板をシート固定手段によって支柱材の縦溝内面に密着させてい
ることを特徴とする請求項７に記載の建物内への浸水防止装置。
【請求項９】
シート固定手段は、止水シートの両側端部を密着させる支柱材の縦溝内面に対向する他
方の内面に、上下方向に所定間隔毎に押圧部材を起伏自在に枢着させてあり、縦溝からの
押圧部材の起立によってその頂面で止水シートの両側端部を支柱材の縦溝内面に押し付け
て固定するように構成していることを特徴とする請求項７または請求項８に記載の建物内
への浸水防止装置。
【請求項１０】
圧着手段は、止水シートの長さ方向に一定間隔毎に並設する数本の弾性ベルト体からな
り、各弾性ベルト体の上端部には上記止水シートの上端部に係脱自在に係止する取付用金
具が装着されてあり、下端部にはシート湾曲防止用横桁部材に連結させるための連結用金
具が装着されていて、弾性ベルト体の弾性復元力により止水シートの下端面を敷居部材に
圧着させるように構成していることを特徴とする請求項７〜９のいずれか１項に記載の建
物内への浸水防止装置。
【請求項１１】
止水シートはシート本体と、このシート本体における浸水の上流側に向けた面に、幅方
向に一定間隔毎に設けられた補強用縦リブとからなり、隣接する補強用縦リブ間に設けら
れたシートスキン部から止水シートを湾曲変形可能に形成していることを特徴とする請求
項７〜１０のいずれか１項に記載の建物内への浸水防止装置。
【発明の詳細な説明】
【技術分野】
【０００１】
本発明は、大雨や洪水等が発生した際に、道路側等から建物内に水が浸入するのを防止
するための止水部材及び浸水防止装置に関する。
【背景技術】
【０００２】
従来、大雨や高潮等の発生時、道路に溢れた水が建物内、地下施設等に浸入するのを防
止するため、土嚢や止水板が用いられてきた。特に１９９９年に起きた集中豪雨による博
多駅前地下浸水事故以来、地下街や地下鉄の出入口では、設置に時間のかかる土嚢ではな
く、支柱の間にパネル型の止水壁を差し込む止水板が広く普及した。
【０００３】
例えば、特許文献１には、水平方向に長い断面矩形状の複数本の基本形枠材を上下に重
ね合わせて順次連結すると共に、連結した板体の周囲に縁枠材を装着することにより一枚
の止水板とすることが開示されている。このような止水板は、所定の間隔を置いて配置さ
れる一対の支柱の対向面に形成された溝と、床上に形成された溝に水密に嵌め込まれて設
置される。
【０００４】
しかし、特許文献１に開示される止水板は、水密性が不十分であることに加え、基本形
枠材及び縁枠材の保管場所の確保が困難で、またこれらの重量が重くて持ち運びが容易で
はなく、さらに、止水板の組み立て及び設置に時間がかかるといった問題がある。そのた
め、軽量で設置や持ち運びが容易となるように、止水板に関する各種検討がなされている
。
【０００５】
例えば、特許文献２には、建物の出入口における通路の両側壁に両端設立柱が設けられ
ている一方、これらの両端設立柱の下端間の床面には折畳止水膜収納溝が設けられてあり
、この収納溝内に折り畳み状態で収納されている止水膜を引き上げて両端設立柱間の通路
を閉鎖するように構成した止水装置が記載されている。
【０００６】
特許文献３には、止水板を炭素繊維強化プラスチック製とした防水装置が開示されてい
る。また、特許文献４には、複数本の縦に長い金属ユニットを互いに接するように横方向
に板状に配置されてなる金属体と、金属体の一方の面を覆い、金属ユニットを連結する連
結シートとを備え、この連結シートにより巻回可能とされた止水板が開示されている。こ
の止水板は、金属板の全部を覆うようにゴム部材がさらに設けられており、ゴム部材が、
地下鉄の入り口などに設けられた構造物に密着させられることで水密性が確保されている
。
【先行技術文献】
【特許文献】
【０００７】
【特許文献１】実公平４−２１８５７号公報
【特許文献２】特開２００５−２２６４１１号公報
【特許文献３】特開２０１６−１９１２３６号公報
【特許文献４】特開２０１７−４８６７２号公報
【発明の概要】
【発明が解決しようとする課題】
【０００８】
しかし、上記の様な特許文献１〜４に記載の止水パネル型の止水板は、１枚あたりの重
量が重く、設置作業に複数人が必要になるという問題や、地下街等ではパネルのサイズが
大きいため止水板の設置場所の近くに保管場所を確保することが難しく、軽量化しようと
すると水密性が十分に確保出来ないという問題があった。
【０００９】
そのため、本発明者等は、軽量かつ強靱な巻回可能な止水シートを用いることで、上記
問題の解決を目指したが、止水シートは水圧を受けると、建物の出入口と反対側、即ち、
屋内側に向かって大きく膨出、変形し、その隙間から浸水してしまうという問題が更なる
問題が見いだされた。
【００１０】
本発明はこのような問題点に鑑みてなされたもので、その目的とするところは、構造が
簡単で大雨や洪水等の非常時には迅速に組み立てることができるばかりでなく、優れた止
水機能を備えていて、建物内への浸水を良好に防止することができる止水部材及び浸水防
止装置を提供することにある。
【課題を解決するための手段】
【００１１】
上記目的を達成するために、本発明者等は鋭意検討を行った結果、巻回可能な止水シー
トと、床面又は壁面に固定されたシート湾曲防止用桁部材とを備える止水部材及び該止水
部材を用いた浸水防止装置の構成とすることで、上記課題が解決できることを見いだし、
本発明に到達した。
【００１２】
即ち本発明の要旨は以下の通りである。
［１］巻回可能な止水シートと、床面又は壁面に固定されたシート湾曲防止用桁部材とを
、備える止水部材。
［２］止水シートが、鉛直方向に複数の補強用縦リブ構造を有する［１］に記載の止水部
材。
［３］止水シートが、炭素繊維と熱可塑性樹脂を含む［１］又は［２］に記載の止水部材
。
［４］熱可塑性樹脂がポリオレフィン系樹脂である［３］に記載の止水部材。
［５］止水シートと、シート湾曲防止用桁部材との間に、弾性ベルト体からなる固定具を
備える［１］〜［４］の何れかに記載の止水部材。
［６］止水シートと床面の間に、弾性体からなる敷居部材を備える［１］〜［５］の何れ
かに記載の止水部材。
【００１３】
［７］建物の通路の両側壁面にそれぞれ立設、固定され、対向面に縦溝を設けている支柱
材と、両側端部を全長に亘ってこれらの支柱材の上記縦溝内面に密着させて建物の通路を
閉鎖する止水シートと、この止水シートの両側端部を支柱材の上記縦溝内面に密着させる
シート固定手段と、支柱材の下端間の通路の床面上に敷設されて止水シートの下端面を密
着させる敷居部材と、上記支柱材の縦溝の下部間に架設状態に取り付けられて止水シート
の下部における浸水下流側に向けた面を全長に亘って受止したシート湾曲防止用桁部材と
、止水シートの下端面を上記敷居部材に圧着させる圧着手段とを備えてなる、建物内への
浸水防止装置。
［８］止水シートの両側端部には支柱材の縦溝内面に全長に亘って密着させる帯板状の側
板が取付けられてあり、この側板をシート固定手段によって支柱材の縦溝内面に密着させ
ている、［７］に記載の建物内への浸水防止装置。
［９］シート固定手段は、止水シートの両側端部を密着させる支柱材の縦溝内面に対向す
る他方の内面に、上下方向に所定間隔毎に押圧部材を起伏自在に枢着させてあり、縦溝か
らの押圧部材の起立によってその頂面で止水シートの両側端部を支柱材の縦溝内面に押し
付けて固定するように構成している、［７］または［８］に記載の建物内への浸水防止装
置。
［１０］圧着手段は、止水シートの長さ方向に一定間隔毎に並設する数本の弾性ベルト体
からなり、各弾性ベルト体の上端部には上記止水シートの上端部に係脱自在に係止する取
付用金具が装着されてあり、下端部にはシート湾曲防止用横桁部材に連結させるための連
結用金具が装着されていて、弾性ベルト体の弾性復元力により止水シートの下端面を敷居
部材に圧着させるように構成している、［７］〜［９］の何れかに記載の建物内への浸水
防止装置。
［１１］止水シートはシート本体と、このシート本体における浸水の上流側に向けた面に
、幅方向に一定間隔毎に設けられた補強用縦リブとからなり、隣接する補強用縦リブ間に
設けられたシートスキン部から止水シートを湾曲変形可能に形成している、［７］〜  ［
１０］の何れかに記載の建物内への浸水防止装置。
【発明の効果】
【００１４】
本発明の止水部材は、集中豪雨等の緊急時に短時間で設置出来、十分な水密性を有する
。さらに本発明の止水部材は、保管時にはコンパクトで、かつ軽量で持ち運びが容易なた
め、熟練した作業員でなくとも少人数で容易に設置することができる。
【図面の簡単な説明】
【００１５】
【図１】建物内への浸水防止装置の背面側（浸水下流側）から見た斜視図。
【図２】その分解斜視図。
【図３】建物内への浸水防止装置の正面側（浸水上流側）から見た斜視図。
【図４】シート湾曲防止用桁部材を架設している状態の縦断側面図。
【図５】押圧部材によって止水シートを張設、固定している状態の斜視図。
【図６】止水シートを張設、固定した状態の側面図。
【図７】その横断面図。
【図８】止水シートを弾性ベルト体により敷居部材に圧着した状態の斜視図。
【図９】その縦断面図。
【図１０】建物内への浸水防止装置の変形例を示す背面側から見た斜視図。
【発明を実施するための形態】
【００１６】
以下、本発明の一実施形態について図面を参照に説明する。
図１〜図３において、建物内への浸水防止装置は、建物の出入口等の通路Ａの両側壁面
Ｂ、Ｂに支柱材１、１が立設状態で固定され、これらの両側支柱材１、１間に止水シート
２が張設されていて、この止水シート２によって建物の通路Ａを閉鎖し，浸水を防止する
ように構成している。
【００１７】
＜１．止水板＞ 
本発明の止水部材は、少なくとも図１に記載の止水シート２及びシート湾曲防止用桁部
材６からなる。また、任意で敷居部材４、圧着手段５を備えていてもよい。
【００１８】
＜１．１ 止水シート＞
本発明の止水シート２は、巻回可能である必要がある。また、本発明の止水シート２に
は、補強用縦リブ2bが片面に設けられていてもよい。補強用縦リブ2bを備える面は特に限
定されないが、浸水の下流側（以下、「背面」ともいう）にシート湾曲防止用桁部材６を
設置することが好ましいことから、補強用縦リブ2bは浸水の上流側（以下、「正面」とも
いう）に設けられることが好ましい。なお、浸水の上流側とは、水が氾濫した屋外側であ
り、浸水の下流側とは、浸水を防止する対象である建物、地下等の屋内側である。
【００１９】
図１〜３に示すように、補強用縦リブ２ｂは、止水シート２の上端部から下端部まで延
在し、補強用縦リブ２ｂの下端面と、止水シート２の下端面とが面一となっている。また
、床面と止水シートの水密性を確保するために、弾性体からなる敷居部材４を備えてもよ
い。これにより、止水シート２の下端部の水密性が優れたものとなる。なお、補強用縦リ
ブ2bは、浸水防止装置において、その長さ方向と設置面（床面）とのなす角度が、４５〜
９０°、好ましくは８０〜９０°、最も好ましくは９０°となるようにされる。この角度
は、９０°に近くなるほど止水シート２を容易に巻回させることが可能になる。
【００２０】
シート本体2aの構造は特に限定されないが、重量と強度の観点から繊維と合成樹脂の複
合材から成るものが好ましく、繊維に合成樹脂を含浸させた構造であることがより好まし
い。具体的には、繊維状基材に合成樹脂を含浸させた複合基材を有することが好ましい。
繊維状基材としては、織物、編物、不織布、一方向に連続繊維が配列されてなる一方向連
続繊維等の連続繊維を使用したものが好ましく、これらの中では織物がより好ましく、平
織の繊維が更に好ましい。
繊維状基材を構成する繊維としては、特に限定されないが、ガラス繊維及び炭素繊維か
ら選択されることが好ましく、機械物性の観点から炭素繊維がより好ましい。炭素繊維と
しては、例えば、ＰＡＮ系炭素繊維、ＰＩＴＣＨ系炭素繊維等が挙げられる。ガラス繊維
としては、例えば、Ｅガラス繊維等が挙げられる。
【００２１】
補強用縦リブ2bは、繊維と合成樹脂の複合材から成り、合成樹脂から成って補強用縦リ
ブ2bの長さ方向に延在する芯部と、この芯部の少なくとも一部を被覆する表皮層とを含む
ことが好ましい。表皮層には樹脂含浸繊維を用いることが好ましく、樹脂含浸繊維は、繊
維状補強材とこの繊維状補強材に含浸された合成樹脂とを含む。また、表皮層は、補強用
縦リブ2bの芯部のみならず、止水シート２の表面において、隣接する補強用縦リブ2bだけ
でなくシート本体2aの表面も覆うように形成されていることが好ましい。この場合、表皮
層は、補強用縦リブ2bの芯部の表面及び補強用縦リブ2bの間のシート本体2aも覆うように
積層されるのがより好ましい。
【００２２】
表皮層に使用される繊維状補強材としては、織物、編物、不織布、一方向に連続繊維が
配列されてなる一方向連続繊維等の連続繊維を使用したものが好ましく、一方向連続繊維
がより好ましい。一方向連続繊維は、横方向、すなわち、各補強用縦リブ2bの長さ方向と
交差する方向に延在することが好ましい。繊維状補強材を構成する繊維としては、特に限
定されないが、ガラス繊維及び炭素繊維から選択されることが好ましく、防水性及び表面
外観の観点からガラス繊維がより好ましい。炭素繊維としては、例えば、ＰＡＮ系炭素繊
維、ＰＩＴＣＨ系炭素繊維などが挙げられる。ガラス繊維としては、例えば、Ｅガラス繊
維などが挙げられる。また、繊維状基材、及び繊維状補強材のうち少なくとも一方は、炭
素繊維であることがより好ましい。すなわち、止水シートの繊維は、少なくとも一部が炭
素繊維であることがより好ましい。また、繊維状基材が炭素繊維、繊維状補強材がガラス
繊維であることがさらに好ましい。
【００２３】
止水シート２に使用する合成樹脂としては、熱可塑性樹脂又は熱硬化性樹脂の何れであ
ってもよいが、熱可塑性樹脂の方が好ましい。熱可塑性樹脂としては、例えば、ポリオレ
フィン系樹脂、ポリエステル系樹脂、ポリアミド樹脂などが挙げられ、これらの中では、
ポリオレフィン系樹脂、特にポリプロピレン樹脂が好ましい。熱硬化性樹脂としては、エ
ポキシ樹脂、不飽和ポリエステル樹脂、フェノール樹脂、メラミン樹脂、ポリウレタン樹
脂などが挙げられる。止水シート２において、シート本体2a、補強用縦リブ2bを構成する
ための芯材及び表皮層に使用する合成樹脂は、いずれも同種のものを使用しても異なるも
のを使用してもよいが、同種のものを使用することが好ましい。したがって、シート本体
2a、及び補強用縦リブ2bに使用する合成樹脂は、いずれもポリオレフィン系樹脂、特にポ
リプロピレン樹脂が好ましい。
【００２４】
本発明の止水板シート２は上述の通り、芯材がポリプロピレン、表皮層がポリプロピレ
ンを含浸させた床面に平行な１方向連続ガラス繊維から成る補強用縦リブ部2bと、ポリプ
ロピレンを含浸させた炭素繊維織物であるシート本体2aからなる構成が最も好ましい。
【００２５】
＜１．２ 敷居部材４＞
敷居部材４を構成するゴムは、従来公知のゴムが使用可能であり、天然ゴム（ＮＲ）、
イソプレンゴム（ＩＲ）、ブタジエンゴム（ＢＲ）、スチレンブタジエンゴム（ＳＢＲ）
、クロロプレンゴム（ＣＲ）、ブチルゴム（ＩＩＲ）、アクリロニトリルブタジエンゴム
（ＮＢＲ）、水素化アクリロニトリルブタジエンゴム（ＨＮＢＲ）、ノルボルネンゴム  
（ＮＯＲ）、エチレン・プロピレンゴム（ＥＰＭ）、エチレン・プロピレン・ジエンゴム
（ＥＰＤＭ）、アクリルゴム（ＡＣＭ）、フッ素ゴム（ＦＫＭ）、クロロスルホン化ポリ
エチレン（ＣＳＭ）、エピクロロヒドリンゴム、シリコーンゴム、ウレタンゴムなどが挙
げられる。これらゴムは、１種単独で使用してもよいし２種以上を使用してもよい。これ
らの中では、特にエチレン・プロピレン・ジエンゴム（ＥＰＤＭ）が好ましい。ＥＰＤＭ
は、耐熱性、耐候性などに優れ、かつ、粘着剤、特にアクリル系粘着剤との接着性及び脱
着性に優れるため、良好な耐久性及びメンテナンス性が得られる。
【００２６】
敷居部材４は、一般的に、上記ゴムに各種添加剤が配合されてもよい。添加剤は、通常
のゴムに使用される各種添加剤が使用でき、軟化剤、可塑剤、架橋剤、老化防止剤、酸化
防止剤、架橋助剤、着色剤、充填材等が挙げられる。敷居部材４は、架橋剤が配合される
場合、架橋剤により架橋されていることが好ましい。架橋剤は加硫剤とも呼ばれ、硫黄系
架橋剤、過酸化物系架橋剤等が挙げられる。また、本実施形態において敷居部材４はシー
ト状であるが、シート状以外の形状を有していてもよい。
【００２７】
止水部材は、止水シート２と敷居部材４の間に配置される粘着層を備えていてもよい。
その粘着層により敷居部材４が止水シート２に接着される。
【００２８】
粘着層は、基材層と粘着剤を備えることが好ましい。
基材層としては、熱可塑性樹脂層であることが好ましく、具体的には、熱可塑性樹脂フ
ィルム、熱可塑性樹脂クロス等が挙げられ、これらの中では熱可塑性樹脂クロスが好まし
い。基材に使用される熱可塑性樹脂としては、ポリエチレン樹脂、ポリプロピレン樹脂等
のポリオレフィン系樹脂、軟質ポリ塩化ビニル樹脂、ポリアミド樹脂、ポリエチレンテレ
フタレート等のポリエステル樹脂等が挙げられる。また、クロスとしては、織布、編布、
不織布等が挙げられる。
【００２９】
粘着剤としては、アクリル系粘着剤、ゴム系粘着剤、ウレタン系粘着剤、シリコ−ン系
粘着剤等が使用され、これらの中ではアクリル系粘着剤が好ましい。アクリル系粘着剤は
、各種の（メタ）アクリレート由来の構成単位を有するアクリル系共重合体を含有し、適
宜、粘着付与樹脂、架橋剤などが配合されてもよい。粘着層にアクリル系粘着剤を使用す
ることで、敷居部材４と止水シート２の間の水密性を良好にすることが可能である。
【００３０】
＜１．３  シート湾曲防止用桁部材＞
本発明の止水部材は、止水シート２の背面に、床部又は壁部に固定されたシート湾曲防
止用桁部材６を備える必要がある。床部又は壁部に固定されたとは、建造物の床部又は壁
部の少なくとも一部に直接又は間接的に固定されていることを意味する。
例えば、シート湾曲防止用桁部材を床部にビス等で直接固定する方法や、壁部にビス等
で固定された支柱に対してシート湾曲防止用桁部材を固定する方法等も含まれる。
【００３１】
また、シート湾曲防止用桁部材６の取付け位置は、止水シート２の下側部分に限らず、
中心付近、又は上側部分に取付けてもよい。シート湾曲防止用桁部材６は、張設された止
水シート２が両側端部を支点に下流側に湾曲変形しようとすると、止水シート２を背面か
ら支持して、止水シート２が湾曲変形することを防止する。
【００３２】
本発明のシート湾曲防止用部材６の素材は特に限定されないが、機械強度及び軽量性の
観点から樹脂又は金属からなる部材であることが好ましい。軽量性を重視するのであれば
、樹脂が好ましく、繊維強化樹脂がより好ましい。中でも、ガラス繊維強化ウレタン樹脂
が軽量かつ機械強度も優れ好ましく用いられる。また、機械強度を重視するのであれば、
金属が好ましく、ステンレス、鋼鉄、アルミがより好ましく、軽量かつ強度に優れたアル
ミ中空材がより好ましい。
【００３３】
＜１．４ 圧着手段５＞
本発明の止水シート２と、シート湾曲防止用部材６との間に弾性体からなる固定具を 
圧着手段５として備えていてもよい。
圧着手段５は、長さ方向に伸縮可能な弾性ベルト体5aと、弾性ベルト体5aの上端部に装
着され、止水シート２の上端部に着脱自在に係止させるフック形状の取付用金具14や、弾
性ベルト体5aの下端部に装着され、シート湾曲防止用部材６に連結させる連結用金具15と
を備えていてもよい。圧着手段５が止水シート２の上端部に係止し、かつシート湾曲防止
用部材６に連結されたとき、止水シート２を上面から圧着し、優れた水密性能が得られる
傾向にある。また、止水シート２が補強用縦リブ構造2bを備える場合、リブ構造によって
縦方向が、シート湾曲防止用部材６によって横方向が固定され、巻回可能なシートであり
ながら湾曲せず、優れた止水性能を得られる傾向にある。
【００３４】
＜２． 浸水防止装置＞
以下に、本発明の浸水防止装置の一例を説明する。
【００３５】
上記支柱材１、１は金属製であって、全長に亘って一定幅の横断面コ字状の縦溝1aを設
けてなる溝形鋼からなり、その縦溝1a、1aを対向させた状態にしてこれらの支柱材１、１
を通路Ａの両側壁面Ｂ、Ｂにそれぞれ固定している。なお、壁面Ｂに対する支柱材１の固
定は、支柱材１、１をその縦溝1aの開口端を壁面から臨ませた状態にして壁内に垂直状に
埋設しておいてもよく、或いは、壁面Ｂに沿って立設して螺子等の適宜な固着具により壁
面Ｂに固定しておいてもよい。
【００３６】
上記止水シート２は、両側の支柱材１、１の対向する上記縦溝1a、1a内にその両側端部
に設けている後述する側板７、７が挿入されてあり、これらの側板７、７を上記縦溝1a、
1a内においてシート固定手段３により縦溝1a、1aにおける浸水下流側に向けた内面1a1 に
押し付けられた状態で固定され、この内面1a1 に全長に亘り水密状態に密着している。
【００３７】
さらに、支柱材１、１の下端間の通路Ａの床面上には、一定幅を有する発泡樹脂シート
からなる敷居部材４が敷設されてあり、この敷居部材４の上面に上記止水シート２の下端
が上記圧着手段５により押し付けられて全長に亘って水密状態に圧着している。
【００３８】
また、止水シート２は、その浸水下流側に向けた面の下部を両側の支柱材１、１の対向
する縦溝1a、1aの下部間に架設状態に取り付けられたシート湾曲防止用桁部材６によって
全長に亘って受止されて、浸水時の水圧により支柱材１、１を支点として浸水下流側に湾
曲変形するのを抑止されている。
【００３９】
止水シート２は繊維強化樹脂（ＦＲＰ）からなり、縦幅が上記支柱材１の長さよりも短
く、横幅（長さ）が支柱材１、１間に張設可能な長さを有する横長長方形状のシート本体
2aと、このシート本体2aの正面、即ち、浸水上流側に向けた面に、長さ方向（横幅方向）
に一定間隔毎に長さがシート本体2aの縦幅寸法に等しい補強用縦リブ2bを突設してなる。
従って、隣接する補強用縦リブ2b、2b間にはシート本体2aのスキン部が設けられてあり、
このシートスキン部から湾曲させて巻き取り可能に構成している。
【００４０】
なお、止水シート２の長さはその両側端部が対向する支柱材１、１の縦溝1a、1a内に挿
入されて縦溝1aの内面に圧着可能な寸法に形成しておいてもよいが、この実施例において
は、支柱材１、１間の通路幅と同等ないしは僅かに短く形成してあり、この止水シート２
の両側端部に支柱材１の縦溝1aの内面に密着させる側板７、７が取り付けられている。
【００４１】
側板７、７は、剛直性を有する金属製または合成樹脂製の帯板材からなり、その下端面
を止水シート２の下端面と面一状となるように合わせた状態にして幅方向の一半部を図３
、図７に示すように、止水シート２の浸水上流側に向けた正面の両側端部に全縦幅に亘っ
て重ね合わせてボルト・ナット８により固着している。これらの側板７、７における支柱
材１の縦溝1a内に挿入した上記一半部には、上下方向に一定間隔毎に縦長係止孔８が穿設
されている一方、この側板７が密着する上記支柱材１の縦溝1aの内面1a1 には上記縦長係
止孔８を着脱自在に係止させる突起９が上下方向に係止孔８と同一間隔毎に突設されてい
る。
【００４２】
上記止水シート２の側端から外側方に突出した側板７の他半部を支柱材１の縦溝内面1a
1 に密着、固定させるシート固定手段３は、側板７が密着する上記縦溝1aの内面1a1 に対
向した他方の内面1a2 に、図４〜図６に示すように、基端部をヒンジ（蝶番）10によって
上下方向に起伏自在に枢着された複数個の押圧部材3aからなる。これらの押圧部材3aは、
短尺の角棒形状に形成されてあり、その長さは支柱材１の縦溝1aの対向する内面1a1 、1a
2 間の幅よりも短くて、この押圧部材3aを側板７側に向かって水平状に起立させた時に、
その平坦な頂面3a1 を上記縦溝1aの内面1a1 に重なった上記側板７の板面に押し付けるよ
うに構成されている。
【００４３】
なお、上記ヒンジ10はその枢軸10a を上方にして、この枢軸10a によって開閉自在に連
結している一方の蝶番片10b を縦溝1aの上記内面1a2 に、他方の蝶番片10c を押圧部材3a
の底面にそれぞれ固着させている。
【００４４】
支柱材１、１の縦溝1a、1a間に上記止水シート２が張設されていない状態においては、
全ての押圧部材3aはヒンジ10を介してこのヒンジ10からこのヒンジ10を取り付けている縦
溝1aの内面1a2 上に折り重ねられるように伏せられ、この内面1a2 に沿って折り畳まれた
状態にある。
【００４５】
また、このように押圧部材3aが折り畳まれた状態において、止水シート２の側板７と対
向する押圧部材3aの側面の上端部は上記頂面3a1 に向かって凸円弧状の湾曲面3a2 に形成
されていて、押圧部材3aを起立させた際に、この湾曲面3a2 を止水シート２の側板７の面
に摺接させながら頂面3a1 を側板７に向けるように構成している。
【００４６】
上記縦溝1aの内面1a2 に固着されている上記ヒンジ10における蝶番片10b1上には、他方
の蝶番片10c を固着させている押圧部材3aの底面を受止して押圧部材3aを縦溝1aの内面1a
2 に対して直角に起立させ、その頂面3a1 を止水シート２の側板７に全面的に密接した状
態に保持する着座部材16が配設されている。この着座部材16はスプリング等によって押圧
部材3aの頂面3a1 を止水シート２の側板７に押し付ける方向に付勢しておいてもよく、或
いは、スプリングによることなく、押圧部材3aの頂面3a1 にゴム板片等の弾性部材を貼着
しておいてもよい。
【００４７】
このように構成した押圧部材3aによって、両側の支柱材１、１の対向する縦溝1a、1a間
に張設状態で固定されている上記止水シート２は、上述したように、その浸水下流側に向
けた面の下部を両側の支柱材１、１の対向する縦溝1a、1aの下部間に架設状態に取り付け
られたシート湾曲防止用桁部材６によって全長に亘って受止されている。
【００４８】
このシート湾曲防止用桁部材６は、剛直性を有する断面四角形の真っ直ぐな棒材または
管材からなり、その両端部が上記両側支柱材１、１の対向する縦溝1a、1a内に挿入して縦
溝1a、1a間に水平状に架設することができる長さに形成されている。また、このシート湾
曲防止用桁部材６の上面には長さ方向に一定間隔毎に後述する圧着手段５の下端部を係止
によって連結させるフックからなる係止具11が装着されている。
【００４９】
上記シート湾曲防止用桁部材６の両端部を挿入させる上記両側支柱材１、１の対向する
縦溝1a、1a内の下部における上下に隣接する押圧部材3a、3a間には、図４〜図６に示すよ
うに、縦溝1a、1aの対向する溝底面に、シート湾曲防止用桁部材６の端部を載置させて支
持する水平突片からなる載置用突片12を突設している。
【００５０】
さらに、支柱材１、１の下部における上記載置用突片12の上方に、その下面でシート湾
曲防止用桁部材６の端部上面を受止するストッパ部材13を設けている。このストッパ部材
13はボルトからなり、支柱材１の浸水下流側に面する外側壁部を進退自在に螺通して縦溝
1a内に水平に突設した状態で上記外側壁部に支持されている。
【００５１】
このストッパ部材13と上記載置用突片12との対向面間には、シート湾曲防止用桁部材６
の端部を挿入可能な隙間が設けられてあり、さらに、シート湾曲防止用桁部材６の端部を
上記載置用突片12上に載置した際に、シート湾曲防止用桁部材６の端部上面と上記ストッ
パ部材13との間に僅かな隙間が設けられるように構成している。
【００５２】
ストッパ部材13は上記のように、支柱材１の上記外側壁部に進退自在に螺通、支持させ
ているので、シート湾曲防止用桁部材６の端部を載置用突片12上に載置したのちストッパ
部材13を縦溝1a内に大きく突出させてその下面でシート湾曲防止用桁部材６の端部上面を
確実に受止させることができるが、ボルト以外の他の棒状物であってもよい。
【００５３】
上記支柱材１、１の下端間の通路Ａの床面上に敷設された敷居部材４の上面に、止水シ
ート２の下端面を圧着させる圧着手段５は、止水シートの長さ方向に一定間隔毎に並設す
る長さ方向に伸縮可能なゴム製の弾性ベルト体5aからなる。この弾性ベルト体5aは、止水
シート２の上端と上記シート湾曲防止用桁部材６の上面との間の上下寸法よりも短くなる
ように長さ調整可能に構成されている。
【００５４】
弾性ベルト体5aの上端部には、止水シート２の上端部に係着脱自在に係止させて弾性ベ
ルト体5aの上端を止水シート２の上端部に取り付けるためのフック体からなる取付用金具
14が装着されている。さらに、この弾性ベルト体5aの下端部には上記シート湾曲防止用桁
部材６の上面に装着している係止具11に係脱自在に係止させてシート湾曲防止用桁部材６
と連結するための金属性環体からなる連結用金具15が装着されている。
【００５５】
このように構成した圧着手段５は、複数本の弾性ベルト体5aを順次、止水シート２の長
さ方向に所定間隔毎に並設されて、各弾性ベルト体5aの上端部の取付用金具14を止水シー
ト２の上端部に係止させていると共に弾性ベルト体5aを伸長させてその下端部の連結金具
15をシート湾曲防止用桁部材６の上面に装着した係止具11に係止させている。
【００５６】
従って、シート湾曲防止用桁部材６は弾性ベルト体5aの収縮力によって上方に引き寄せ
られ、その両端部上面を支柱材１、１の縦溝1a内に突出している上記ストッパ部材13に受
止させている。さらに、弾性ベルト体5aの弾性復元力がこのシート湾曲防止用桁部材６を
支点として止水シート２に下向きの押圧力として作用して、止水シート２の下端部を全長
に亘って水密状態に上記発泡シートからなる敷居部材４上に密着されている。
【００５７】
次に、上記のように構成した建物内への浸水防止装置の使用態様を説明すると、大雨等
によって建物内に出入口から水が浸入し始めた場合、或いは、浸水する虞れが生じた場合
に、建物の出入口に面している建物内の通路Ａの両側壁面Ｂ、Ｂに設けられた支柱材１、
１の下端間の床面Ｃ上に敷居部材４を敷設する。なお、この敷居部材４や上記止水シート
２は、不使用時には巻き取られてあり、使用時には図２に示すように、巻き戻しながら展
開するように構成されている。
【００５８】
支柱材１、１間の床面Ｃ上への敷居部材４の敷設作業に引き続きて止水シート２を展開
しながらその両側端部に取付けている側板７、７を支柱材１、１の対向する上記縦溝1a、
1a内に挿入し、浸水下流側に向けている縦溝1a、1aの一方の内面1a1 、1a1 に押し付けて
密接させる。
【００５９】
この際、側板７に穿設している縦長係止孔８、８・・・を支柱材１の縦溝1aの内面1a1
に突設している突起９、９・・・に係止させ、止水シート２を張った状態に保持すると共
に突起９に沿って縦長係止孔８を下方に移動させて止水シート２の下端面を上記敷居部材
４の上面に支持させる。なお、止水シート２は多数の縦リブ2aを突設している面を正面側
、即ち、浸水上流側に向けた状態にして上記のように両側支柱材１、１の縦溝1a、1a間に
張設される。
【００６０】
しかるのち、支柱材１、１の縦溝1a、1a内に上下方向に一定間隔毎に装着しているシー
ト固定手段３を構成した複数個の押圧部材3aを、縦溝1aに沿って伏している状態から止水
シート２の側板７に向かって順次起立させることにより、これらの押圧部材3aの頂面3a1
を止水シート２の側板７に押し付け、側板７を縦溝1aの上記内面1a1 に圧着させる。この
圧着によって止水シート２の両側端部側からの止水シート２の背面側（浸水下流側）への
浸水を阻止することができる。
【００６１】
さらに、上記のようにして支柱材１、１の縦溝1a、1a間に張設した止水シート２の浸水
下流側に面した背面側において、支柱材１、１の縦溝1a、1aの下部間にシート湾曲防止用
桁部材６を架設してこのシート湾曲防止用桁部材６によって止水シート２の背面下部を全
長に亘って受止させる。
【００６２】
このシート湾曲防止用桁部材６は、その長さ方向の両端部を支柱材１、１の対向する縦
溝1a、1aの下部内に挿入して、その端部下面を載置用突片12に載せて支持させることによ
り、架設することができる。なお、シート湾曲防止用桁部材６としては、例えば、２本の
短い桁部材を互いに長さ方向に伸縮自在に連結しておき、支柱材１、１の対向端面間の横
幅よりも短い長さとなるように収縮させて支柱材１、１間に挿入したのち、伸長させてそ
の両端部を縦溝1a、1a内に挿入するように形成しておいてもよい。次いで、止水シート２
の背面側に圧着手段５を構成する複数本の弾性ベルト体5aを、止水シート２の止水シート
の長さ方向に一定間隔毎に並設するように装着する。
【００６３】
止水シート２の背面への上記各弾性ベルト体5aの装着は、上述したように、その上端部
の取付用金具14を止水シート２の上端部に引っ掛けて係止したのち、弾性ベルト体5aを垂
直下方に引っ張って伸長させながらその下端部の連結金具15を対向するシート湾曲防止用
桁部材６の上面に装着した係止具11に係止させることによって行うことができる。
【００６４】
このようにして、建物内の通路Ａの両側壁面Ｂ、Ｂ間に浸水防止装置を短時間（数分以
内）で正確に組み立てることができる。さらに、止水シート２の下端面側においても、そ
の下端面が発泡シートからなる敷居部材４を弾性的に窪ませながら全面的に圧着して敷居
部材４側からの浸水を阻止することができる。
【００６５】
また、上記止水シート２は、浸水下流側に向けている背面下部をシート湾曲防止用桁部
材６によって受止されているので、水嵩が増すと、上記シート湾曲防止用桁部材６から上
方の止水シート２の上部に作用する水圧がシート湾曲防止用桁部材６から下方の止水シー
ト２の下部に作用する水圧よりも大きくなる事態が発生する。
【００６６】
そうすると、シート湾曲防止用桁部材６を支点として止水シート２が浸水上流側に向け
ている補強用縦リブ2bの下端面を敷居部材４から浮き上がる方向に作動する一方、シート
本体2aの下端面が敷居部材４に一層強固に圧着する方向に作動して強力な浸水阻止機能を
奏することになる。
【００６７】
なお、以上の実施例においては、敷居部材４は発泡樹脂シートによって形成しているが
、ゴム製シートやその他のシート状物によって形成しておいてもよい。また、敷居部材４
はその下面に、支柱材１、１間の通路Ａの床面Ｃ上に仮固定する粘着材等を層着しておい
てもよく、或いは、その他の固定手段を採用してもよい。
【符号の説明】
【００６８】
Ａ  通路
Ｂ  通路の両側壁面
Ｃ  床面
１  支柱材
1a  縦溝
２  止水シート
2a  シート本体
2b  補強用縦リブ
３  シート固定手段
3a  押圧部材
４  敷居部材
５  圧着手段
5a  弾性ベルト体
６  シート湾曲防止用桁部材
７  側板
10  ヒンジ
11  係止具
12  載置用突片
13  ストッパ部材
14  取付用金具
15  連結用金具
２０  支柱
２８  接続具
３０  止水シート
３６  敷居部材
４０  シート湾曲防止用桁部材（閂部）
４２  シート湾曲防止用桁部材固定具
４５  圧着手段
４８ｂ  掛止具
４８ａ  取付用金具
【図１】
2018150794.tif 000003
【図２】
2018150794.tif 000004
【図３】
2018150794.tif 000005
【図４】
2018150794.tif 000006
【図５】
2018150794.tif 000007
【図６】
2018150794.tif 000008
【図７】
2018150794.tif 000009
【図８】
2018150794.tif 000010
【図９】
2018150794.tif 000011
【図１０】
2018150794.tif 000012